(57)【要約】  【課題】工具などの特別の部材を用いずに簡単に、表紙体に綴じ具を簡単に取り付けたり取り外したりすることができ、しかも作業方向が制約されることのない高性能な綴じ具の取付構造を提供する。  【解決手段】表紙体１の内面に配される綴じ具２を、前記表紙体１と綴じ具２とを挟持する挟持位置Ｐ２とそれらを取り付け又は取り外し可能な着脱可能位置Ｐ１とに位置付け可能な綴じ具止め具３を用いて前記表紙体１に対して着脱可能に取り付けるようにした。【選択図】図３
2006035702.tif 000002
【特許請求の範囲】
【請求項１】
表紙体の内面に配される綴じ具を、前記表紙体と綴じ具とを挟持する挟持位置とそれらを取り付け又は取り外し可能な着脱可能位置とに位置付け可能な綴じ具止め具を用いて前記表紙体に対して着脱可能に取り付けるようにした綴じ具の取付構造であって、
前記表紙体に、その厚み方向に貫通する取付孔を形成し、
前記綴じ具止め具に、前記挟持位置において、前記表紙体及び綴じ具を前記表紙体の外面側と内面側とからそれぞれ挟持する外側挟持部と内側挟持部とを設けるとともに、前記着脱可能位置において、前記外側挟持部および内側挟持部のうち少なくとも一方を、前記取付孔に挿通可能に構成し、
前記外側挟持部および内側挟持部のうち前記取付孔に挿通可能な挟持部をその取付孔に挿通させて、外側挟持部と内側挟持部とが表紙体の外面側と内面側とにそれぞれ配される着脱可能位置に綴じ具止め具を位置付け、さらに、この着脱可能位置にある綴じ具止め具を、前記外側挟持部および内側挟持部のうちいずれか一方に手指を掛けて前記挟持位置に移動させることにより、前記外側挟持部と内側挟持部とによって前記表紙体及び綴じ具を挟持するようにしたことを特徴とする綴じ具の取付構造。
【請求項２】
前記綴じ具止め具を、前記表紙体の表面と直交する軸回りに回転移動させて、前記着脱可能位置と前記挟持位置とに位置付け得るように構成していることを特徴とする請求項１記載の綴じ具の取付構造。
【請求項３】
前記綴じ具止め具が、前記外側挟持部と内側挟持部との間に設けられ且つ前記挟持位置にて前記取付孔に挿通される挿通部を備えるものであり、また、前記取付孔が略長孔状のものであって、
前記取付孔の中央に、長孔状の部分を横断する寸法よりも拡径した部分円弧状をなす回転案内部を形成するとともに、前記綴じ具止め具の挿通部の少なくとも一部に、前記回転案内部に案内される回転被案内部を形成し、
前記回転案内部と回転被案内部とによって、前記綴じ具止め具の回転移動が案内されるようにしていることを特徴とする請求項２記載の綴じ具の取付構造。
【請求項４】
前記綴じ具における前記取付孔と重合する部分の少なくとも一部に、前記取付孔と連通し且つ前記綴じ具止め具を挿通可能な連通部を形成し、
前記内側挟持部が、この連通部の近傍で綴じ具を挟持するように構成していることを特徴とする請求項１乃至３いずれか記載の綴じ具の取付構造。
【請求項５】
前記連通部が、前記回転案内部とともに前記回転被案内部の回転を案内する第２回転案内部を備えることを特徴とする請求項４記載の綴じ具の取付構造。
【請求項６】
前記第２回転案内部と、前記回転案内部に案内される回転被案内部とが、表紙体と綴じ具との相対的な平行移動を規制する規制手段としての機能を発揮するように構成したことを特徴とする請求項５記載の綴じ具の取付構造。
【請求項７】
前記綴じ具止め具を、表紙体の表面に沿ってスライド移動させて、着脱可能位置と挟持位置とに位置付け得るように構成していることを特徴とする請求項１記載の綴じ具の取付構造。
【請求項８】
挟持位置にある綴じ具止め具が、着脱可能位置に移動することを抑制する移動抑制手段を具備していることを特徴とする請求項１乃至７いずれか記載の綴じ具の取付構造。
【請求項９】
前記移動抑制手段が、綴じ具又は綴じ具止め具に向けて突出する突出要素を具備するものであって、
前記突出要素を、前記綴じ具および綴じ具止め具のうち少なくとも一方に形成し他方に当接するようにしたことを特徴とする請求項８記載の綴じ具の取付構造。
【請求項１０】
前記取付孔が長孔状のものであり、また、前記内側挟持部が平面視した際に前記取付孔と略対応する平面形状を有するものであり、また、前記外側挟持部が平面視略矩形状をなすものであって、
前記外側挟持部の四辺を、前記取付孔の長手寸法よりも拡大した寸法を有するように構成していることを特徴とする請求項１乃至９いずれか記載の綴じ具の取付構造。
【請求項１１】
前記内側挟持部および前記外側挟持部を、平面視した際に、略重合する平面形状を有するように構成していることを特長とする請求項１乃至１０いずれか記載の綴じ具の取付構造。
【請求項１２】
前記表紙体と綴じ具との取付位置を案内する取付位置案内手段を備えることを特徴とする請求項１乃至１１いずれか記載の綴じ具の取付構造。
【請求項１３】
前記取付位置案内手段が、互いに係合可能な係合突起と係合孔とを具備するものであって、
前記係合突起および係合孔のうちいずれか一方を、前記表紙体に設け、他方を綴じ具に設けていることを特徴とする請求項１２記載の綴じ具の取付構造。
【請求項１４】
表紙体に対して、その表紙体の内面に配される綴じ具を着脱可能に取り付けるための綴じ具止め具であって、
前記表紙体と綴じ具とを挟持する挟持位置において、前記表紙体及び綴じ具を前記表紙体の外面側と内面側とからそれぞれ挟持する外側挟持部と内側挟持部とを具備するとともに、前記表紙体と綴じ具とを取り付け又は取り外し可能な着脱可能位置において、前記外側挟持部および内側挟持部のうち少なくとも一方を、前記表紙体に形成した取付孔に挿通可能に構成し、
前記外側挟持部および内側挟持部のうち前記取付孔に挿通可能な挟持部をその取付孔に挿通させて、外側挟持部と内側挟持部とが表紙体の外面側と内面側とにそれぞれ配される着脱可能位置に位置付け、さらに、前記外側挟持部および内側挟持部のうちいずれか一方に手指を掛けて着脱可能位置から挟持位置に移動させることにより、前記外側挟持部と内側挟持部とによって前記表紙体及び綴じ具を挟持するようにしたことを特徴とする綴じ具止め具。
【請求項１５】
表紙体と、この表紙体の内面に配される綴じ具と、前記表紙体に綴じ具を着脱可能に取り付けるための綴じ具止め具とを少なくとも備えるファイルであって、
前記表紙体が、その厚み方向に貫通するように形成した取付孔を具備し、
前記綴じ具止め具が、前記表紙体と綴じ具とを挟持する挟持位置において、前記表紙体及び綴じ具を前記表紙体の外面側と内面側とからそれぞれ挟持する外側挟持部と内側挟持部とを具備するとともに、前記表紙体と綴じ具とを取り付け又は取り外し可能な着脱可能位置において、前記外側挟持部および内側挟持部のうち少なくとも一方を、前記取付孔に挿通可能に構成したものであって、
前記外側挟持部および内側挟持部のうち前記取付孔に挿通可能な挟持部をその取付孔に挿通させて、外側挟持部と内側挟持部とが表紙体の外面側と内面側とにそれぞれ配される着脱可能位置に綴じ具止め具を位置付け、さらに、この着脱可能位置にある綴じ具止め具を、前記外側挟持部および内側挟持部のうちいずれか一方に手指を掛けて前記挟持位置に移動させることにより、前記外側挟持部と内側挟持部とによって前記表紙体及び綴じ具を挟持するようにしたことを特徴とするファイル。
【請求項１６】
請求項１乃至１３いずれか記載の綴じ具の取付構造を備える綴じ具止め具。
【請求項１７】
請求項１乃至１３いずれか記載の綴じ具の取付構造を適用したファイル。
【発明の詳細な説明】
【技術分野】
【０００１】
本発明は、表紙体の内面に配される綴じ具を、綴じ具止め具を用いて前記表紙体に対して着脱可能に取り付けるようにした綴じ具の取付構造、及び、その綴じ具の取付構造で用いられる綴じ具止め具、及び、綴じ具取付構造を適用したファイルに関するものである。
【背景技術】
【０００２】
従来から、ファイルの表紙体の内面に配する書類を綴じるための金具を、その表紙体から取り外せるように構成することにより、表紙体と綴じ具たる金具とを分別廃棄できるようにしたファイルが知られている。
【０００３】
具体的には、表紙体を構成する背表紙に対して取り付ける金具のベースの平板部に、爪と金具側長孔とを設けるとともに、背表紙の対応する位置に係合孔とファイル側長孔とをそれぞれ開設する一方、クリップを、頭部と脚部と、両者間に同軸的に設けられる首部とを具備するように形成する。そして、背表紙に金具を重ね、互いに整合する長孔に脚部を挿通し、頭部に設けられた溝に、工具を差し込んで略９０度回すことにより、頭部と脚部との間に、背表紙及び金具を挟持できるように構成されている（例えば、特許文献１参照。）。
【特許文献１】特開平９−１４２０７７号公報（第２〜３頁、第１図）
【発明の開示】
【発明が解決しようとする課題】
【０００４】
しかしながら、このようなものでは、表紙体に金具を取り付けるためには工具が必要であり、もし工具が手元にない場合には、表紙体と金具とを取り付けることができないといった問題点を有している。また、背表紙に、背紙やこれを保護するためのフィルムが設けられており、且つクリップの頭部が背表紙側に露出するような場合には、背表紙側から操作をすると工具が背紙やフィルムと干渉するため、工具を用いてクリップを取り付けることができない。すなわち、クリップの取付が表紙体の内面側からに限られるなど、作業方向が限られてしまうといった問題点を有している。
【０００５】
本発明は、このような課題に着目してなされたものであって、主たる目的は、工具などの特別の部材を用いずに簡単に、表紙体に綴じ具を取り付けたり取り外したりすることができ、しかも作業方向が制約されることのないといった綴じ具の取付構造を提供することにある。
【課題を解決するための手段】
【０００６】
すなわち、本発明の綴じ具の取付構造は、表紙体の内面に配される綴じ具を、前記表紙体と綴じ具とを挟持する挟持位置とそれらを取り付け又は取り外し可能な着脱可能位置とに位置付け可能な綴じ具止め具を用いて前記表紙体に対して着脱可能に取り付けるようにした綴じ具の取付構造であって、前記表紙体に、その厚み方向に貫通する取付孔を形成し、前記綴じ具止め具に、前記挟持位置において、前記表紙体及び綴じ具を前記表紙体の外面側と内面側とからそれぞれ挟持する外側挟持部と内側挟持部とを設けるとともに、前記着脱可能位置において、前記外側挟持部および内側挟持部のうち少なくとも一方を、前記取付孔に挿通可能に構成し、前記外側挟持部および内側挟持部のうち前記取付孔に挿通可能な挟持部をその取付孔に挿通させて、外側挟持部と内側挟持部とが表紙体の外面側と内面側とにそれぞれ配される着脱可能位置に綴じ具止め具を位置付け、さらに、この着脱可能位置にある綴じ具止め具を、前記外側挟持部および内側挟持部のうちいずれか一方に手指を掛けて前記挟持位置に移動させることにより、前記外側挟持部と内側挟持部とによって前記表紙体及び綴じ具を挟持するようにしたことを特徴とする。
【０００７】
このようなものであれば、表紙体に形成した取付孔に対して、綴じ具止め具の外側挟持部および内側挟持部のうちその取付孔に挿通可能な挟持部を挿通し、綴じ具止め具を着脱可能位置に位置付け、さらに、外側挟持部または内側挟持部に手指を掛けて、綴じ具止め具を挟持位置に移動させるといった、非常に簡単な操作をするだけで、それら外側挟持部と内側挟持部とで、表紙体と綴じ具とを挟持することができる。また、背表紙に、背紙やこれを保護するためのフィルムが設けられている場合でも、例えば、外側挟持部を薄板状に構成しておけば、背紙やフィルムと無用に干渉することが生じることもないので、工具を使ったときのように作業方向が限られてしまうといった不具合も生じない。
【０００８】
すなわち、工具などの特別の部材を用いずに簡単に、表紙体に綴じ具を簡単に取り付けたり取り外したりすることができ、しかも作業方向が制約されることのない高性能な綴じ具の取付構造を提供することができる。
【０００９】
なお、綴じ具止め具を、着脱可能位置と挟持位置との間を移動させる望ましい態様としては、前記綴じ具止め具を、前記表紙体の表面と直交する軸回りに回転移動させて、前記着脱可能位置と前記挟持位置とに位置付け得るようにしたものや、表紙体の表面に沿ってスライド移動させるようにしたものが挙げられる。
【００１０】
簡単な構成でありながらも、綴じ具止め具の回転移動を好適に案内できるようにするためには、前記綴じ具止め具が、前記外側挟持部と内側挟持部との間に設けられ且つ前記挟持位置にて前記取付孔に挿通される挿通部を備えるものであり、また、前記取付孔が略長孔状のものであって、前記取付孔の中央に、長孔状の部分を横断する寸法よりも拡径した部分円弧状をなす回転案内部を形成するとともに、前記綴じ具止め具の挿通部の少なくとも一部に、前記回転案内部に案内される回転被案内部を形成し、前記回転案内部と回転被案内部とによって、前記綴じ具止め具の回転移動が案内されるようにしていることが望ましい。
【００１１】
また、綴じ具を安定して挟持できるようにするためには、前記綴じ具における前記取付孔と重合する部分の少なくとも一部に、前記取付孔と連通し且つ前記綴じ具止め具を挿通可能な連通部を形成し、前記内側挟持部が、この連通部の近傍で綴じ具を挟持するように構成していることが好ましい。
【００１２】
前記連通部が、前記回転案内部とともに前記回転被案内部の回転を案内する第２回転案内部を備えるものであれば、回転案内部と第２回転案内部とによって、回転被案内部の回転を案内する部位が増えるので、綴じ具止め具の回転を好適に案内することができる。
【００１３】
特別な部材を用いずに、表紙体と綴じ具とが不意に移動することを規制できるようにするには、前記第２回転案内部と、前記回転案内部に案内される回転被案内部とが、表紙体と綴じ具との相対的な平行移動を規制する規制手段としての機能を発揮するように構成することが望ましい。
【００１４】
また、綴じ具止め具が不意に移動することを抑制して、表紙体と綴じ具とを安定して挟持できるようにするには、挟持位置にある綴じ具止め具が、着脱可能位置に移動することを抑制する移動抑制手段を具備していることが望ましい。
【００１５】
この移動抑制手段の具体的態様としては、移動抑制手段が、綴じ具又は綴じ具止め具に向けて突出する突出要素を具備するものであって、前記突出要素を、前記綴じ具および綴じ具止め具のうち少なくとも一方に形成し他方に当接するようにしたものが挙げられる。
【００１６】
前記取付孔が長孔状のものであり、また、前記内側挟持部が平面視した際に前記取付孔と略対応する平面形状を有するものであり、また、前記外側挟持部が平面視略矩形状をなすものであって、前記外側挟持部の四辺を、前記取付孔の長手寸法よりも拡大した寸法を有するように構成しているものであれば、外側挟持部によって取付孔の露出を防止できる。
【００１７】
前記内側挟持部および前記外側挟持部を、平面視した際に、略重合する平面形状を有するように構成しているものであれば、綴じ具止め具を、表紙体の外面側からも内面側からも取り付けることができる。また、綴じ具止め具の表紙体への取付を内側と外側とを反対にしても取り付けることができる。
【００１８】
ところで、表紙体と綴じ具とを正規な位置に簡単に取り付けることができるようにするには、前記表紙体と綴じ具との取付位置を案内する取付位置案内手段を備えることが望ましい。
【００１９】
この取付位置案内手段の具体的態様としては、取付位置案内手段が、互いに係合可能な係合突起と係合孔とを具備するものであって、前記係合突起および係合孔のうちいずれか一方を、前記表紙体に設け、他方を綴じ具に設けているものが挙げられる。
【００２０】
また、本発明の綴じ具止め具の望ましい態様としては、表紙体に対して、その表紙体の内面に配される綴じ具を着脱可能に取り付けるための綴じ具止め具であって、前記表紙体と綴じ具とを挟持する挟持位置において、前記表紙体及び綴じ具を前記表紙体の外面側と内面側とからそれぞれ挟持する外側挟持部と内側挟持部とを具備するとともに、前記表紙体と綴じ具とを取り付け又は取り外し可能な着脱可能位置において、前記外側挟持部および内側挟持部のうち少なくとも一方を、前記表紙体に形成した取付孔に挿通可能に構成し、前記外側挟持部および内側挟持部のうち前記取付孔に挿通可能な挟持部をその取付孔に挿通させて、外側挟持部と内側挟持部とが表紙体の外面側と内面側とにそれぞれ配される着脱可能位置に位置付け、さらに、前記外側挟持部および内側挟持部のうちいずれか一方に手指を掛けて着脱可能位置から挟持位置に移動させることにより、前記外側挟持部と内側挟持部とによって前記表紙体及び綴じ具を挟持するようにしたものが挙げられる。
【００２１】
また、本発明のファイルの望ましい態様としては、表紙体と、この表紙体の内面に配される綴じ具と、前記表紙体に綴じ具を着脱可能に取り付けるための綴じ具止め具とを少なくとも備えるファイルであって、前記表紙体が、その厚み方向に貫通するように形成した取付孔を具備し、前記綴じ具止め具が、前記表紙体と綴じ具とを挟持する挟持位置において、前記表紙体及び綴じ具を前記表紙体の外面側と内面側とからそれぞれ挟持する外側挟持部と内側挟持部とを具備するとともに、前記表紙体と綴じ具とを取り付け又は取り外し可能な着脱可能位置において、前記外側挟持部および内側挟持部のうち少なくとも一方を、前記取付孔に挿通可能に構成したものであって、前記外側挟持部および内側挟持部のうち前記取付孔に挿通可能な挟持部をその取付孔に挿通させて、外側挟持部と内側挟持部とが表紙体の外面側と内面側とにそれぞれ配される着脱可能位置に綴じ具止め具を位置付け、さらに、この着脱可能位置にある綴じ具止め具を、前記外側挟持部および内側挟持部のうちいずれか一方に手指を掛けて前記挟持位置に移動させることにより、前記外側挟持部と内側挟持部とによって前記表紙体及び綴じ具を挟持するようにしたものが挙げられる。
【発明の効果】
【００２２】
以上説明したように本発明の綴じ具の取付構造によれば、表紙体に形成した取付孔に対して、綴じ具止め具の外側挟持部および内側挟持部のうちその取付孔に挿通可能な挟持部を挿通し、綴じ具止め具を着脱可能位置に位置付け、さらに、外側挟持部または内側挟持部に手指を掛けて、綴じ具止め具を挟持位置に移動させるといった、非常に簡単な操作をするだけで、それら外側挟持部と内側挟持部とで、表紙体と綴じ具とを挟持することができる。また、背表紙に、背紙やこれを保護するためのフィルムが設けられている場合でも、例えば、外側挟持部を薄板状に構成しておけば、背紙やフィルムと無用に干渉することが生じることもないので、工具を使ったときのように作業方向が限られてしまうといった不具合も生じない。
【００２３】
すなわち、工具などの特別の部材を用いずに簡単に、表紙体に綴じ具を簡単に取り付けたり取り外したりすることができ、しかも作業方向が制約されることのない高性能な綴じ具の取付構造を提供することができる。
【発明を実施するための最良の形態】
【００２４】
以下、本発明の一実施形態を、図面を参照して説明する。
【００２５】
本発明に係るファイルＦは、図１、図２、図３、図４に示すように、表紙体１と、前記表紙体１の内面に配される綴じ具２と、前記綴じ具２を前記表紙体１に着脱可能に取り付けるための２個の綴じ具止め具３とを具備するものである。なお、本実施形態では、前記表紙体１の背側に設けた透明フィルムと表紙体１との間に、背紙を配し得るようにしているが、説明の便宜上、これら透明フィルムと背紙とを図示することを省略している。
【００２６】
以下、各部を詳述する。
【００２７】
表紙体１は、背表紙１１と、図１、図２、図３、図４に示すように、この背表紙１１の両側縁に連続して設けた表表紙１２および裏表紙１３とを備えるものであって、これら各部を、適度な剛性を有する１枚のボール紙により一体に形成している。ここで、「適度な剛性を有する」とは、背表紙１１が綴じ具２の固定に耐え得る程度の剛性を有するとともに、表表紙１２および裏表紙１３が使用時に容易に折れ曲がらない程度の剛性を有することを言う。
【００２８】
また、背表紙１１には、その厚み方向に貫通する取付孔１１ａと係合孔１１ｂとを形成している。これら取付孔１１ａと係合孔１１ｂとについてさらに詳述すると、取付孔１１ａは、背表紙１１の天地方向に長手寸法を有する平面視縦長略長孔状のものである。そして、その略中央に、長孔状の部分を横断する寸法１１Ｄよりも拡径した部分円弧状をなす回転案内部１１ａ１が形成されている。なお、この回転案内部１１ａ１は、後述する回転被案内部３３１とともに、綴じ具止め具３の回転移動を案内するものである。
【００２９】
係合孔１１ｂは、背表紙１１の幅方向に長手寸法を有する平面視横長略矩形状のものであって、各取付孔１１ａをそれぞれ挟む位置に２個ずつ計４個形成されてなる。この係合孔１１ｂは、後述する綴じ具２に設けた係合突起２１２Ｋと係合し得るものであり、これら係合孔１１ｂと係合突起２１２Ｋとが、表紙体１と綴じ具２との取付位置を案内する取付位置案内手段Ｍ１としての機能を発揮する。
【００３０】
綴じ具２は、図３等に示すように、金属製のベース部材２１と、このベース部材２１の両側縁にそれぞれ対向状態で着脱可能に取り付けられる対を成す金属製の綴じ部２２ｘ、２２ｙとを具備するものである。
【００３１】
以下、具体的に各部を説明すると、ベース部材２１は、主として綴じ部２２ｘ、２２ｙを保持する機能を発揮する厚肉部２１１と、この厚肉部２１１の上下側に配され主として表紙体１への取付に利用される薄肉部２１２とを備えてなる。
【００３２】
より具体的には、厚肉部２１１は、内包する弾性部材（図示せず）を利用して綴じ部２２ｘ、２２ｙを着脱可能に保持する保持部２１１ｍと、この保持部２１１ｍを、当該保持部２１１ｍから綴じ部２２ｘ、２２ｙを取り外し不能な状態あるいは、取り外し及び取付可能な状態にすべく手指で操作される綴じ部着脱操作部２１１ｓとを備えるものである。また、薄肉部２１２には、前記取付孔１１ａと重合する部分を当該薄肉部２１２の端縁から切り欠き、前記取付孔１１ａと連通する連通部２１２ａが形成されてなる。そして、この連通部２１２ａには、前記回転案内部１１ａ１とともに、前記回転被案内部３３１の回転を案内する平面視略部分円弧状をなす第２回転案内部２１２ａ１を設けている。この第２回転案内部２１２ａ１と、前記回転案内部１１ａ１に案内される後述する回転被案内部３３１とが、表紙体１と綴じ具２との相対的な平行移動を規制する規制手段Ｍ２としての機能を発揮する（図７参照。）。加えて、本実施形態では、この薄肉部２１２に、表面から突出する突出要素２１２Ｔを設けている。この突出要素２１２Ｔが、後述する綴じ具止め具３の内側挟持部３２の側縁部と当接することにより、綴じ具止め具３が挟持位置Ｐ２から着脱可能位置Ｐ１に向けて移動すること及びその逆に移動することを共に抑制する。すなわち、突出要素２１２Ｔと内側挟持部３２の側縁部とが移動抑制手段Ｍ３としての機能を発揮する。またさらに、本実施形態では、この薄肉部２１２に、その裏面側に突出するように表紙体１に向けて切り起こした係合突起２１２Ｋを設けている。
【００３３】
綴じ部２２ｘ、２２ｙは、一方の綴じ部２２ｘがその対向面から突設した一対の綴じ杆２２ｘ１を備え、且つ、他方の綴じ部２２ｙがその対向面から突設した綴じパイプ２２ｙ１を備えるものであって、紙葉類の綴じ孔を、綴じパイプ２２ｙ１に差し込み、この状態の綴じパイプ２２ｙ１に対して綴じ杆２２ｘ１を嵌入することにより、紙葉類を、対を成す綴じ部２２ｘ、２２ｙの間に綴じ込むことができる。
【００３４】
綴じ具止め具３は、図５等に示すように、表紙体１をその外面側から挟持する外側挟持部３１と、表紙体１の内面に配された綴じ具２を挟持する内側挟持部３２と、これら外側挟持部３１と内側挟持部３２との間に設けられる挿通部３３とを具備し、これら各部を合成樹脂により一体に形成してなる。
【００３５】
以下、具体的に各部を説明すると、外側挟持部３１は、平面視略矩形状をなす薄板状のものである。
【００３６】
内側挟持部３２は、平面視した際に前記取付孔１１ａと略対応する平面形状（すなわち長孔形状）を有し、長手方向に沿って各部等断面の略三角形状を有する中実のものである。そして、この内側挟持部３２の操作側の２面を、手指を掛けて操作可能な手掛け操作部３２１、３２２とし、この手掛け操作部３２１、３２２には、操作する手指が滑ることを抑制するための滑り止め要素（図示せず）を設けている。なお、本実施形態では、この滑り止め要素をヘアライン加工により形成したヘアライン状のものとしているが、これに限らず、例えば、滑り止め要素を半球状の突起体とし、これを複数備えるようにしてもよい。
【００３７】
挿通部３３は、図５、図６等に示すように、前記外側挟持部３１と内側挟持部３２との間で各部当断面形状を有する略円柱状のものであって、その直径３３Ｄを、回転案内部１１ａ１の径および第２回転案内部２１２ａ１の径と略一致させている。なお、この挿通部３３の側面全体を、回転被案内部３３１としている。
【００３８】
以上のように構成される綴じ具２の取付構造を適用したファイルＦについて、その使用方法を以下に説明する。
【００３９】
（１）綴じ具２の取付方法の一例。
【００４０】
なお、綴じ具止め具３を操作する方向には「時計回り」と「反時計回り」とがあるが、いずれの方向に操作しても同様の作用効果を得られるので、ここでは、「時計回り」のみについて説明を行う。
【００４１】
まず、綴じ具止め具３を表紙体１の外面側に位置付け、次に、綴じ具止め具３の内側挟持部３２を表紙体１の取付孔１１ａに挿通し、綴じ具止め具３を、図７（ａ）に示す着脱可能位置Ｐ１に位置付ける。
【００４２】
そして、内側挟持部３２の手掛け操作部に手指を掛け、時計回りに回転させる。すると、図７（ｂ）に示すように、内側挟持部３２の側縁部と突出要素２１２Ｔとが当接する状態となり、これら内側挟持部３２の側縁部と突出要素２１２Ｔとが、綴じ具止め具３の着脱可能位置Ｐ１から挟持位置Ｐ２に向けての移動を抑制する移動抑制手段Ｍ３としての機能を発揮する。そして、手掛け操作部に対してさらに時計回りに回転させる力を加えると、内側挟持部３２の側縁部が、突出要素２１２Ｔを乗り越え、内側挟持部３２の側縁部と突出要素２１２Ｔとの当接が解除される。すなわち、移動抑制手段Ｍ３による着脱可能位置Ｐ１から挟持位置Ｐ２に向けての綴じ具止め具３の移動の抑制が解除され、内側挟持部３２がさらに回転し、図７（ｃ）に示す挟持位置Ｐ２に位置付けられることとなる。
【００４３】
このようにして、綴じ具止め具３を挟持位置Ｐ２に位置付けると、図８に示すように、外側挟持部３１と内側挟持部３２とが、表紙体１と綴じ具２とを挟持する。
【００４４】
なお、挟持位置Ｐ２に位置付けた内側挟持部３２を、時計回りにさらに回転させた際には、突出要素２１２Ｔと内側挟持部３２の側縁部とが当接し、この内側挟持部３２が、時計回りに無用に回転移動することを抑制する。
【００４５】
（２）綴じ具２の取り外し方法の一例。
【００４６】
綴じ具２を、表紙体１から取り外す場合には、図７（ｃ）に示す挟持位置Ｐ２にある綴じ具止め具３を、時計回転あるいは反時計回転に回転させて、図７（ａ）に示す着脱可能位置Ｐ１に位置付ければ、綴じ具２を表紙体１から取り外すことができる。
【００４７】
このように、本実施形態に係る綴じ具２の取付構造を適用したファイルＦによれば、表紙体１に形成した取付孔１１ａに対して、綴じ具止め具３の内側挟持部３２を挿通し、綴じ具止め具３を着脱可能位置Ｐ１に位置付け、さらに、内側挟持部３２に手指を掛けて、綴じ具止め具３を挟持位置Ｐ２に移動させるといった、非常に簡単な操作をするだけで、それら外側挟持部３１と内側挟持部３２とで、表紙体１と綴じ具２とを挟持することができる。また、本実施形態のように、背表紙１１に、背紙やこれを保護するためのフィルムが設けられている場合でも、外側挟持部３１を薄板状に構成しているので、背紙やフィルムと無用に干渉することが生じず、工具を使ったときのように作業方向が限られてしまうといった不具合も起こらない。
【００４８】
すなわち、工具などの特別の部材を用いずに簡単に、表紙体１に綴じ具２を簡単に取り付けたり取り外したりすることができ、しかも作業方向が制約されることのない高性能な綴じ具２の取付構造を提供することができる。
【００４９】
なお、前記綴じ具止め具３を、前記表紙体１の表面と直交する軸回りに回転移動させて、前記着脱可能位置Ｐ１と前記挟持位置Ｐ２とに位置付け得るようにしているので、誰にでも簡単に操作することができる。
【００５０】
また、前記綴じ具止め具３が、前記外側挟持部３１と内側挟持部３２との間に設けられ且つ前記挟持位置Ｐ２にて前記取付孔１１ａに挿通される挿通部３３を備えるものであり、また、前記取付孔１１ａが略長孔状のものであって、前記取付孔１１ａの中央に、長孔状の部分を横断する寸法よりも拡径した部分円弧状をなす回転案内部１１ａ１を形成するとともに、前記綴じ具止め具３の挿通部３３の少なくとも一部に、前記回転案内部１１ａ１に案内される回転被案内部３３１を形成し、前記回転案内部１１ａ１と回転被案内部３３１とによって、前記綴じ具止め具３の回転移動が案内されるようにしているので、簡単な構成でありながらも、綴じ具止め具３の回転移動を好適に案内できる。
【００５１】
また、前記綴じ具２における前記取付孔１１ａと重合する部分の少なくとも一部に、前記取付孔１１ａと連通し且つ前記綴じ具止め具３を挿通可能な連通部２１２ａを形成し、前記内側挟持部３２が、この連通部２１２ａの近傍で綴じ具２を挟持するように構成しているので、綴じ具２を安定して挟持できる。
【００５２】
また、前記連通部２１２ａが、前記回転案内部１１ａ１とともに前記回転被案内部３３１の回転を案内する第２回転案内部２１２ａ１を備えるものであるので、回転案内部１１ａ１と第２回転案内部２１２ａ１とによって、回転被案内部３３１の回転を案内する部位が増え、綴じ具止め具３の回転を好適に案内することができる。
【００５３】
そして、前記第２回転案内部２１２ａ１と、前記回転案内部１１ａ１に案内される回転被案内部３３１とが、表紙体１と綴じ具２との相対的な平行移動を規制する規制手段Ｍ２としての機能を発揮するので、特別な部材を用いずに、表紙体１と綴じ具２とが不意に移動することを規制できる。
【００５４】
また、綴じ具２に設けた突出要素２１２Ｔと綴じ具止め具３の内側挟持部３２の側縁部とが、挟持位置Ｐ２にある綴じ具止め具３が着脱可能位置Ｐ１に移動することを抑制する移動抑制手段Ｍ３としての機能を発揮するので、綴じ具止め具３が不意に移動することを抑制して、表紙体１と綴じ具２とを安定して挟持できる。
【００５５】
前記取付孔１１ａが長孔状のものであり、また、前記内側挟持部３２が平面視した際に前記取付孔１１ａと略対応する平面形状を有するものであり、また、前記外側挟持部３１が平面視略矩形状をなすものであって、前記外側挟持部３１の四辺を、前記取付孔１１ａの長手寸法１１Ｅよりも拡大した寸法を有するように構成しているので、外側挟持部３１によって取付孔１１ａの露出を防止できる。
【００５６】
また、表紙体１に形成した係合孔１１ｂと、綴じ具止め具３に形成した係合突起２１２Ｋとが、前記表紙体１と綴じ具２との取付位置を案内する取付位置案内手段Ｍ１としての機能を発揮するので、表紙体１と綴じ具２とを正規な位置に簡単に取り付けることができる。
【００５７】
なお、本発明は、以上に詳述した実施形態に限られるものではない。
【００５８】
例えば、内側挟持部３２および外側挟持部３１の形状は、本実施形態に限られるものではない。具体的には、図９に示すように、内側挟持部３２と外側挟持部３１とをそれぞれ平板状のものとするとともに、それらを平面視した際に略重合する平面形状を有するように構成してもよい。すなわち内側挟持部３２と外側挟持部３１とを同様のものに構成すれば、綴じ具止め具３を、表紙体１の外面側からも内面側からも取り付けたり取り外したりすることができる上、内側挟持部３２と外側挟持部３１との区別する必要性が無くなるので、表紙体１への取付が非常に簡便になる。
【００５９】
また、綴じ具止め具３を、合成樹脂製のものとしているが、一部または全部を金属製のものとするなど、この綴じ具止め具３を構成する素材は適宜変更可能である。
【００６０】
また、表紙体１に形成した取付孔１１ａの形状も本実施形態に限られるものではない。例えば、図１０に示すように、取付孔１１ａを平面視略Ｔ字状のものとすることもできる。この場合には、図１０中の位置Ｐ３を、着脱可能位置に設定し、図１０中の位置Ｐ４を挟持位置Ｐ４に設定し、挿通部３３の直径３３Ｄを取付孔１１ａの幅寸法１１ａＨと略一致させた綴じ具止め具３を、着脱可能位置Ｐ３から挟持位置Ｐ４に、取付孔１１ａの形状に沿ってスライド移動させれば、綴じ具２を表紙体１に取り付けることができる。
【００６１】
また、綴じ具２に突出要素２１２Ｔを設けるようにしているが、綴じ具止め具３にも突出要素２１２Ｔを設けるようにしてもよい。この場合には、綴じ具２側に、突出要素２１２Ｔを受容する受容部を設ければ、綴じ具止め具３が挟持位置Ｐ２から着脱可能位置Ｐ１に向けて移動すること及びその逆に移動することを共に抑制する機能を、効果的に発揮することとなる。さらに、綴じ具止め具３に設けた突出要素２１２Ｔが、連通部２１２ａの端縁と係わり合うように構成するといった実施態様も考えられる。
【００６２】
また、綴じ具２を構成するベース部材２１と綴じ部２２ｘ、２２ｙとを両方とも金属製のものとしているが、これに限られず、例えば、ベース部材２１および綴じ部２２ｘ、２２ｙのうちいずれか一方または両方を合成樹脂製のものとするなど、各部の素材は適宜変更可能である。
【００６３】
また、ベース部材２１と綴じ部２２ｘ、２２ｙとを取り外し不能なものとしてもよい。
【００６４】
その他、各部の具体的構成についても上記実施形態に限られるものではなく、本発明の趣旨を逸脱しない範囲で種々変形が可能である。
【図面の簡単な説明】
【００６５】
【図１】本発明の一実施形態に係る綴じ具の取付構造を適用したファイルを示す全体斜視図（表表紙と裏表紙とを開けず、表紙体の背側から見たとき）。
【図２】同実施形態におけるファイルを示す全体斜視図（表表紙と裏表紙とを開け、表紙体の内面から見たとき）。
【図３】同実施形態におけるファイルを示す分解斜視図。
【図４】同実施形態におけるファイルを示す平面図。
【図５】同実施形態における綴じ具止め具を示す全体斜視図。
【図６】同実施形態における綴じ具止め具を示す三面図。
【図７】同実施形態における綴じ具止め具の取り付け及び取り外し手順を説明するための図。
【図８】同実施形態における取付要部の構造断面図。
【図９】本発明の他の実施形態に係る綴じ具止め具を示す正面図、平面図、及び全体斜視図。
【図１０】本発明の他の実施形態に係る表紙体の取付孔を適用したファイルを示す分解斜視図。
【符号の説明】
【００６６】
Ｆ・・・・・・・ファイル
Ｍ１・・・・・・取付位置案内手段
Ｍ２・・・・・・規制手段
Ｍ３・・・・・・移動抑制手段
Ｐ１・・・・・・着脱可能位置
Ｐ２・・・・・・挟持位置
１・・・・・・・表紙体
２・・・・・・・綴じ具
３・・・・・・・綴じ具止め具
１１ａ・・・・・取付孔
１１ａ１・・・・回転案内部
１１ｂ・・・・・係合孔
１１Ｄ・・・・・長孔状の部分を横断する寸法
１１Ｅ・・・・・取付孔１１ａの長手寸法
３１・・・・・・外側挟持部
３２・・・・・・内側挟持部
３３・・・・・・挿通部
２１２ａ・・・・連通部
２１２ａ１・・・第２回転案内部
２１２Ｔ・・・・突出要素
２１２Ｋ・・・・係合突起
３３１・・・・・回転被案内部
【図１】
2006035702.tif 000003
【図２】
2006035702.tif 000004
【図３】
2006035702.tif 000005
【図４】
2006035702.tif 000006
【図５】
2006035702.tif 000007
【図６】
2006035702.tif 000008
【図７】
2006035702.tif 000009
【図８】
2006035702.tif 000010
【図９】
2006035702.tif 000011
【図１０】
2006035702.tif 000012